(57)【要約】【課題】全てのユーザの利用状況に対して、装置の小型化を実現し、且つ、入金処理の後処理の処理効率を向上させる。【解決手段】硬貨処理装置１０は、投入された硬貨を受け入れるための受入部１１と、受入部１１によって受け入れられた硬貨を識別するための識別部３４と、識別部３４によって識別された硬貨を収納するための複数のカセット５０ａ，５０ｂ，５０ｃを有する収納部５０と、複数の収納パターンを記憶するための記憶部１０１と、収納パターンの選択指示を受け付けるための操作部１０２と、操作部１０２によって受け付けられた選択指示に基づいて記憶部１０１に記憶された複数の収納パターンの中から１つを選択し、その選択された収納パターンに基づいて収納部５０に硬貨を収納する制御部１６と、を備えている。【選択図】図１
2010026930.tif 000002
【特許請求の範囲】
【請求項１】
投入された硬貨を受け入れるための受入部と、
前記受入部によって受け入れられた硬貨を識別するための識別部と、
前記識別部によって識別された硬貨を収納するための複数のカセットを有する収納部と、
複数の収納パターンを記憶するための記憶部と、
前記収納パターンの選択指示を受け付けるための操作部と、
前記操作部によって受け付けられた選択指示に基づいて前記記憶部に記憶された複数の収納パターンの中から１つを選択し、その選択された収納パターンに基づいて前記収納部に硬貨を収納する制御部と、を備えることを特徴とする硬貨処理装置。
【請求項２】
前記収納部は、前記複数のカセットの配列方向と平行に引き出せるように構成され、
前記記憶部は、前記収納部の引き出し方向に対して手前に設けられたカセットから順に金種混合状態で硬貨を収納するための収納パターンを記憶する請求項１に記載の硬貨処理装置。
【請求項３】
前記複数のカセットのそれぞれに対応して設けられ、前記受入部によって受け入れられた硬貨を一時保留するための複数の一時保留部をさらに備え、
前記記憶部は、前記複数の一時保留部のうち、一時保留枚数が最大枚数に達した一時保留部に一時保留された硬貨を対応するカセットに収納するための収納パターンを記憶する請求項１または２に記載の硬貨処理装置。
【請求項４】
前記記憶部は、前記複数のカセットの１つに特定金種の硬貨を収納し、その他のカセットに非特定金種の硬貨を金種混合状態で収納するための収納パターンを記憶する請求項１乃至３の何れか１項に記載の硬貨処理装置。
【請求項５】
前記記憶部は、前記複数のカセットのそれぞれに、２金種混合状態で硬貨を収納するための収納パターンを記憶する請求項１乃至４の何れか１項に記載の硬貨処理装置。
【請求項６】
前記記憶部は、前記識別部の識別履歴をさらに記憶し、
前記制御部は、前記記憶部に記憶された識別履歴に基づいて前記収納パターンを作成する請求項１乃至５の何れか１項に記載の硬貨処理装置。
【請求項７】
前記操作部は、前記記憶部に記憶された収納パターンを編集するための編集指示を受け付ける請求項１乃至６の何れか１項に記載の硬貨処理装置。
【発明の詳細な説明】
【技術分野】
【０００１】
本発明は、硬貨処理装置に関し、特に、入金処理に利用される硬貨処理装置に関する。
【背景技術】
【０００２】
従来の入金処理に利用される硬貨処理装置では、入金された硬貨が金種別に複数の収納部の１つに収納される。このような硬貨処理装置として、たとえば特許文献１に開示されている硬貨処理装置がある。
【０００３】
この硬貨処理装置は、金種別硬貨一時保留部および金種別硬貨収納繰出部などを備えている。この硬貨処理装置は、金種別硬貨一時保留部に硬貨を一時保留し、入金確定の指示が受け付けられた後に、この一時保留された硬貨を金種別硬貨収納繰出部に収納するようになっている。
【０００４】
しかしながら、このような硬貨処理装置では、金種別に硬貨を収納するので、市場で流通している金種の全てに対応する数の収納部が必要である。したがって、収納部の容量が大きい場合には装置が大型化し、収納部の容量が小さい場合には装置の処理効率が低下するという問題がある。
【０００５】
これに対して、市場で流通している金種の数より少ない収納部に金種混合状態で硬貨を収納する硬貨処理装置が知られている。このような硬貨処理装置は、特許文献１に開示されているような硬貨処理装置に比べて、小型であり、且つ、処理効率が高い。
【０００６】
しかしながら、このような硬貨処理装置では、金種混合状態で硬貨を収納するので、入金処理の後処理（たとえば、包装処理）において、金種混合状態で収納された硬貨を金種別に選別する必要がある。この選別は、操作者によって行われる。したがって、入金処理が効率的に行われる代わりに、入金処理の後処理の処理効率が低下するという問題がある。
【特許文献１】特開２００７−４６４０号公報
【発明の開示】
【発明が解決しようとする課題】
【０００７】
すなわち、従来の硬貨処理装置では、装置の小型化を実現し、且つ、入金処理の後処理の処理効率を向上させることはできないという問題がある。特に、硬貨の流通量は、金種によって大きな差があり、この差は、硬貨処理装置のユーザの利用状況によって異なる。したがって、従来の硬貨処理装置では、全てのユーザの利用状況に対して、これらの問題を解決することはできない。
【０００８】
本発明は、このような点を考慮してなされたものであり、全てのユーザの利用状況に対して、装置の小型化を実現し、且つ、入金処理の後処理の処理効率を向上させるための貨幣処理装置を提供することを目的とする。
【課題を解決するための手段】
【０００９】
本発明の第１態様によれば、
投入された硬貨を受け入れるための受入部と、
前記受入部によって受け入れられた硬貨を識別するための識別部と、
前記識別部によって識別された硬貨を収納するための複数のカセットを有する収納部と、
複数の収納パターンを記憶するための記憶部と、
前記収納パターンの選択指示を受け付けるための操作部と、
前記操作部によって受け付けられた選択指示に基づいて前記記憶部に記憶された複数の収納パターンの中から１つを選択し、その選択された収納パターンに基づいて前記収納部に硬貨を収納する制御部と、を備えることを特徴とする硬貨処理装置が提供される。
【００１０】
前記収納部は、前記複数のカセットの配列方向と平行に引き出せるように構成され、
前記記憶部は、前記収納部の引き出し方向に対して手前に設けられたカセットから順に金種混合状態で硬貨を収納するための収納パターンを記憶することが好ましい。
【００１１】
前記複数のカセットのそれぞれに対応して設けられ、前記受入部によって受け入れられた硬貨を一時保留するための複数の一時保留部をさらに備え、
前記記憶部は、前記複数の一時保留部のうち、一時保留枚数が最大枚数に達した一時保留部に一時保留された硬貨を対応するカセットに収納するための収納パターンを記憶することが好ましい。
【００１２】
前記記憶部は、前記複数のカセットの１つに特定金種の硬貨を収納し、その他のカセットに非特定金種の硬貨を金種混合状態で収納するための収納パターンを記憶することが好ましい。
【００１３】
前記記憶部は、前記複数のカセットのそれぞれに、２金種混合状態で硬貨を収納するための収納パターンを記憶することが好ましい。
【００１４】
前記記憶部は、前記識別部の識別履歴をさらに記憶し、
前記制御部は、前記記憶部に記憶された識別履歴に基づいて前記収納パターンを作成することが好ましい。
【００１５】
前記操作部は、前記記憶部に記憶された収納パターンを編集するための編集指示を受け付けることが好ましい。
【発明の効果】
【００１６】
本発明によれば、全てのユーザの利用状況に対して、装置の小型化を実現し、且つ、入金処理の後処理の処理効率を向上させるための貨幣処理装置を提供することができる。
【発明を実施するための最良の形態】
【００１７】
以下、本発明の実施例について図面を参照して説明する。なお、以下の実施例は、本発明の実施の一形態であって、本発明の範囲を限定するものではない。
【実施例１】
【００１８】
はじめに、本発明の実施例１について説明する。本発明の実施例１は、硬貨を所定の収納パターンに基づいて一時保留し、入金確定指示が受け付けられた後に一時保留された硬貨を収納部に収納する例である。
【００１９】
はじめに、本発明の実施例１に係る硬貨処理装置の構成について図１乃至図５を参照して説明する。
【００２０】
図１は、本発明の実施例１に係る硬貨処理装置の内部構成の概略を示す構成図であり、図２は、図１に示す硬貨処理装置における硬貨貯留繰出部の構成の詳細を示す斜視図であり、図３Ａは、図２に示す硬貨貯留繰出部の側面図であって、ホッパ部材が閉じておりこのホッパ部材と回転円板の表面との間に硬貨貯留空間が形成されたときの状態を示す図であり、図３Ｂは、図２に示す硬貨貯留繰出部の側面図であって、ホッパ部材が開いたときの状態を示す図であり、図４Ａは、図１に示す硬貨処理装置における供給部の構成の詳細を示す構成図であって、物体吸着部が前進位置にあるときの状態を示す図であり、図４Ｂは、図１に示す硬貨処理装置における供給部の構成の詳細を示す構成図であって、物体吸着部が後退位置にあるときの状態を示す図である。
【００２１】
図１に示すように、硬貨処理装置１０は、略直方体形状の筐体１２と、この筐体１２の外部から内部に硬貨を投入するための投入口１４と、投入口１４に投入された硬貨を後述する硬貨貯留繰出部７０に供給するための供給部２０と、供給部２０から供給された硬貨を貯留するとともにこの貯留された硬貨の繰出を行う硬貨貯留繰出部７０とを備えている。これらの投入口１４、供給部２０、および硬貨貯留繰出部７０は、硬貨を硬貨処理装置１０の内部に受け入れるための受入部を構成する。この硬貨貯留繰出部７０には、当該硬貨貯留繰出部７０から繰り出された硬貨を筐体１２の内部で搬送する搬送部３０が接続されており、この搬送部３０には硬貨の金種や正損、真偽等の識別を行う識別部３４が介設されている。また、搬送部３０の下流側には選別部３２が接続されており、この選別部３２によって搬送部３０から搬送された硬貨が、識別部３４の識別結果に基づき金種別に、または混合状態で選別されるようになっている。
【００２２】
具体的には、選別部３２における硬貨の搬送路３１ａには複数（具体的には例えば３つ）の開口部３６ａ、３６ｂ、３６ｃが設けられている。各開口部３６ａ、３６ｂ、３６ｃはそれぞれリジェクト硬貨シュート６２やシュート３２ａ、３２ｂに連通しており、搬送路３１ａに沿って搬送される硬貨が各開口部３６ａ、３６ｂ、３６ｃに入ったときに、この硬貨はリジェクト硬貨シュート６２やシュート３２ａ、３２ｂにそれぞれ送られるようになっている。さらに、搬送路３１ａの下流側端部において、各開口部３６ａ、３６ｂ、３６ｃの更に下流側には開口部３６ｄが設けられている。この開口部３６ｄはシュート３２ｃに連通している。搬送路３１ａで搬送される硬貨が各開口部３６ａ、３６ｂ、３６ｃに入らなかったときには、この硬貨は搬送路３１ａの下流側端部まで搬送され、開口部３６ｄに入るようになっている。開口部３６ｄに入った硬貨はシュート３２ｃに送られる。
【００２３】
前述のように、選別部３２にはリジェクト硬貨シュート６２が接続されており、識別部３４により識別することができなかった硬貨や識別部３４により正常な硬貨ではないと識別された硬貨はリジェクト硬貨として選別部３２からリジェクト硬貨シュート６２に送られるようになっている。また、リジェクト硬貨シュート６２の下流側端部には筐体１２の外部からアクセス可能なリジェクト部６０が設けられており、リジェクト硬貨シュート６２からリジェクト硬貨がリジェクト部６０に送られるようになっている。このことにより、操作者はリジェクト部６０からリジェクト硬貨を取り出すことが可能となる。また、硬貨貯留繰出部７０の下方には排出シュート６４が設けられており、硬貨貯留繰出部７０から排出シュート６４に送られた物体もリジェクト部６０に送られるようになっている。また、図１に示すように、排出シュート６４に隣接してショックセンサ６６が設けられており、このショックセンサ６６には、硬貨貯留繰出部７０から排出シュート６４に落下した物体が衝突するようになっている。ショックセンサ６６は、当該ショックセンサ６６に衝突した物体が変形した硬貨や硬貨以外の金属体、あるいは固形物等であるときには、物体がショックセンサ６６に衝突したことを検知するようになっている。一方、ショックセンサ６６は、当該ショックセンサ６６に衝突した物体が紙くずや埃等であるときには、これらの紙くずや埃等がショックセンサ６６に衝突したことを検知できない。ショックセンサ６６による検知情報は後述する制御部１６に送られるようになっている。
【００２４】
選別部３２の下方には一時保留部４０が設けられている。この一時保留部４０は、金種別に、又は混合状態で硬貨を一時的に保留する複数（例えば３つ）の一時保留部分４０ａ，４０ｂ，４０ｃから構成されており、選別部３２で選別された硬貨は、各一時保留部分４０ａ，４０ｂ，４０ｃにそれぞれ対応するシュート３２ａ，３２ｂ，３２ｃを介して、これらの一時保留部分４０ａ，４０ｂ，４０ｃに送られるようになっている。また、一時保留部４０の下方には更に収納部５０が設けられている。この収納部５０は、金種別に、又は混合状態で硬貨を収納する複数（例えば３つ）のカセット５０ａ，５０ｂ，５０ｃから構成されており、各一時保留部分４０ａ，４０ｂ，４０ｃに一時的に保留された硬貨は、各カセット５０ａ，５０ｂ，５０ｃにそれぞれ対応するシュート４２ａ，４２ｂ，４２ｃを介して、これらのカセット５０ａ，５０ｂ，５０ｃに送られるようになっている。また、この収納部５０は、カセット５０ａ，５０ｂ，５０ｃの配列方向と平行（図１のＡ方向）に引出可能に構成されている。すなわち、収納部５０が引き出されるときには、カセット５０ａ，５０ｂ，５０ｃの順に引き出される。
【００２５】
図１に示すように、供給部２０、硬貨貯留繰出部７０、搬送部３０、選別部３２、識別部３４、一時保留部４０、収納部５０等はそれぞれ筐体１２の内部に収容されている。収納部５０に収納された硬貨は、硬貨処理装置１０の筐体１２の蓋１２ａを開けることにより、現金の回収業務を委託された警備会社の警備員等の収集特定者や銀行内の行員が回収することができるようになっている。
【００２６】
図１に示すように、筐体１２の表面には、例えばタッチパネルからなる表示部１８が設けられている。この表示部１８には、硬貨処理装置１０における硬貨の処理状況や、収納部５０の各カセット５０ａ，５０ｂ，５０ｃに収納された硬貨の量および／または在高を表示するようになっている。表示部１８における表示内容は後述する制御部１６により制御されるようになっている。
【００２７】
また、硬貨処理装置１０には、当該硬貨処理装置１０の各構成要素を制御する制御部１６が設けられている。具体的には、制御部１６は、供給部２０、硬貨貯留繰出部７０、選別部３２、一時保留部４０、表示部１８等の制御を行うようになっている。また、制御部１６には、識別部３４から硬貨の識別結果に係る情報や、ショックセンサ６６による検知情報が送られるようになっている。
【００２８】
以下、硬貨処理装置１０の各構成要素の詳細について説明する。
【００２９】
図１に示すように、供給部２０は投入口１４の真下の位置に設けられており、操作者により投入口１４に投入された硬貨を混合状態で複数受け入れるようになっている。この供給部２０に受け入れられた硬貨は当該供給部２０の真下の位置に設けられた硬貨貯留繰出部７０に送られるようになっている。
【００３０】
供給部２０の具体的な構成について図４Ａおよび図４Ｂを用いて説明する。前述のようい、図４Ａは、供給部２０の構成の詳細を示す構成図であって、後述する永久磁石２４が前進位置にあるときの状態を示す図であり、図４Ｂは、永久磁石２４が後退位置にあるときの状態を示す図である。図４Ａ等に示すように、供給部２０には搬送コンベア２１が設けられており、投入口１４に投入された硬貨（図４Ａにおいて参照符号Ｃで示している）や硬貨以外の異物は全て搬送コンベア２１上に乗るようになっている。また、搬送コンベア２１が図４Ａの矢印方向に循環移動することにより、搬送コンベア２１上の物体が硬貨貯留繰出部７０に送られるようになっている。また、搬送コンベア２１の端部（図４Ａにおける右側端部）の上方には図４Ａの矢印方向に回転する逆転ローラ２２が設けられており、搬送コンベア２１上にある物体は搬送コンベア２１と逆転ローラ２２との間の間隙を通過して硬貨貯留繰出部７０に送られる。
【００３１】
また、搬送コンベア２１の端部（図４Ａにおける右側端部）の近傍には例えばプラスチック等の非金属体からなる案内部材２３が設けられており、搬送コンベア２１と逆転ローラ２２との間の間隙を通過した物体は案内部材２３により硬貨貯留繰出部７０に案内されるようになっている。案内部材２３に対して搬送コンベア２１と反対側の領域には永久磁石２４が設けられている。この永久磁石２４は保持部材２５により保持されており、図４Ａにおいて左右方向に往復移動することができるようになっている。より具体的には、永久磁石２４を保持する保持部材２５にはカム２６が設けられており、このカム２６は、筐体１２に形成された図４Ａの左右方向に延びる長穴２７内に配置されている。そして、カム２６が筐体１２に形成された長穴２７に沿って図４Ａの左右方向に移動することにより、永久磁石２４も図４Ａの左右方向に移動し、この永久磁石２４は、図４Ａに示すような案内部材２３に近接する前進位置と、図４Ｂに示すような案内部材２３から遠ざかる後退位置との間で往復移動するようになる。図４Ａの左右方向における案内部材２３の移動は制御部１６により制御されるようになっており、このため永久磁石２４の位置も制御部１６により制御されるようになっている。
【００３２】
この永久磁石２４は、搬送コンベア２１から案内部材２３に沿って硬貨貯留繰出部７０に送られる物体が磁性を有する場合にこの物体（図４Ａ、図４Ｂにおいて参照符号Ｄで示している）を選択的に磁力により吸着するような物体吸着部を構成している。ここで、「磁性を有する物体を磁力により選択的に吸着することができるよう構成された物体吸着部」とは、物体吸着部が、磁性を有する物体を吸着する状態と、磁性を有する物体を吸着しない状態とを切り換えることができることをいう。より具体的には、図４Ａに示すように永久磁石２４が案内部材２３に近接するような前進位置にある場合には、この永久磁石２４は案内部材２３で案内される物体のうち硬貨以外の金属体を磁性により案内部材２３を介して吸着する。一方、図４Ｂに示すように永久磁石２４が案内部材２３から遠ざかる後退位置に移動した場合には、この永久磁石２４は案内部材２３にある磁性を有する物体を吸着しなくなり、この物体は案内部材２３から落下して硬貨貯留繰出部７０に送られることとなる。
【００３３】
制御部１６は、供給部２０から硬貨貯留繰出部７０に硬貨が供給される際に、永久磁石２４を図４Ａに示すような前進位置に予め移動させておくよう制御を行う。このことにより、投入口１４に硬貨以外の磁性を有する物体、例えばクリップ等の金属体が投入され、この物体が供給部２０に送られた場合であっても、この物体は永久磁石２４に吸着されることにより硬貨貯留繰出部７０に送られることはない。そして、制御部１６は、硬貨貯留繰出部７０による硬貨の繰出が終了した後、永久磁石２４を図４Ｂに示すような後退位置に移動させることにより、この永久磁石２４に吸着された物体を当該永久磁石２４から解放して案内部材２３から落下させることによって硬貨貯留繰出部７０に供給するよう制御を行う。
【００３４】
図１乃至図３に示すように、硬貨貯留繰出部７０は、鉛直方向に対して所定角度で傾斜している回転円板７２と、回転円板７２の表面７２ｂとの間に硬貨を貯留する硬貨貯留空間７３を形成するホッパ部材７４とを備えている。図２等に示すように、回転円板７２には回転軸７２ａが取り付けられており、この回転軸７２ａにより回転円板７２は鉛直方向に対して所定角度で傾斜した状態で図２における矢印方向に回転するようになっている。また、回転円板７２における硬貨貯留空間７３側の表面７２ｂ（図３Ａ、図３Ｂにおける右側の表面）には複数の突起部材７８が設けられている。これらの突起部材７８は、回転円板７２の縁部近傍の位置においてこの縁部に沿って等間隔で設けられている。そして、図３Ａ等に示すように、各突起部材７８が回転円板７２の表面７２ｂ上で硬貨（図３Ａでは参照符号Ｃが付されている）を引っ掛けることにより回転円板７２の下部領域にある硬貨を当該回転円板７２の回転に沿ってこの回転円板７２の上部領域に搬送するようになっている。
【００３５】
硬貨貯留繰出部７０において、回転円板７２の上部領域には、例えば搬送ベルトからなる硬貨搬送機構（図示せず）が設けられている。この硬貨搬送機構の搬送ベルトは、突起部材７８により回転円板７２の下部領域から上部領域に搬送された硬貨を硬貨貯留空間７３の外方に搬送するようになっている。具体的には、上述のような硬貨搬送機構により、硬貨は硬貨貯留空間７３から搬送部３０に送られるようになっている。
【００３６】
図３Ａおよび図３Ｂに示すように、ホッパ部材７４は開閉自在となっている。図３Ａは、図２に示す硬貨貯留繰出部７０の側面図であって、ホッパ部材７４が閉じておりこのホッパ部材７４と回転円板７２の表面との間に硬貨貯留空間７３が形成されたときの状態を示す図であり、図３Ｂは、図２に示す硬貨貯留繰出部７０の側面図であって、ホッパ部材７４が開いたときの状態を示す図である。図３Ａおよび図３Ｂに示すように、ホッパ部材７４は軸７４ａを中心として回動するようになっている。また、軸７４ａには、当該軸７４ａを正逆両方向に回転させる駆動モータ７４ｂが設けられており、駆動モータ７４ｂが軸７４ａを回転させることにより、ホッパ部材７４は図３Ａに示すような閉止位置と図３Ｂに示すような開放位置との間で往復移動するようになっている。駆動モータ７４ｂは制御部１６により制御されるようになっている。これらのホッパ部材７４、軸７４ａおよび駆動モータ７４ｂにより、硬貨貯留繰出部７０内に残留する物体をこの硬貨貯留繰出部７０から排出させる排出部７５が構成されている。そして、この排出部７５は制御部１６により制御されるようになっている。
【００３７】
ホッパ部材７４が図３Ａに示すような閉止位置にあるときにおいて、ホッパ部材７４と回転円板７２の表面との間に硬貨貯留空間７３が形成され、複数の硬貨が混合状態でこの硬貨貯留空間７３に貯留されることとなる。一方、ホッパ部材７４が図３Ａに示すような閉止位置から図３Ｂに示すような開放位置に移動したときには、硬貨貯留空間７３内にある、硬貨を含む様々な物体が硬貨貯留空間７３から落下し、排出シュート６４に送られることとなる。硬貨貯留繰出部７０から排出シュート６４に送られた物体はリジェクト部６０に送られるようになっている。
【００３８】
また、図３Ａや図３Ｂに示すように、硬貨貯留繰出部７０には、硬貨貯留空間７３に物体が存在するときにこのことを検知するフォトセンサ７９が設けられている。フォトセンサ７９は発光部および受光部からなり、発光部から発せられた光を受光部で受けるようになっている。ここで、硬貨貯留空間７３に物体が存在するときには、発光部から発せられた光はこの物体により遮られて受光部に到達しなくなる。このことにより、フォトセンサ７９は硬貨貯留空間７３に物体が存在することを検知する。
【００３９】
図１に示すように、ショックセンサ６６は、排出シュート６４に隣接するよう硬貨貯留繰出部７０の下方の位置に設けられている。このショックセンサ６６は、硬貨貯留繰出部７０から排出シュート６４に落下した物体が衝突したときに、衝撃の度合いをパルスの値として検知するようになっている。そして、このパルスの値が所定の閾値より大きい場合には、物体がショックセンサ６６に衝突したという情報がショックセンサ６６から制御部１６に送られるようになっている。一方、検知されたパルスの値が所定の閾値以下であった場合には、ショックセンサ６６から制御部１６には何ら情報は送られない。ここで、所定の閾値は、ショックセンサ６６に変形した硬貨や硬貨以外の金属体、あるいは固形物等が衝突したときにショックセンサ６６に検知されるパルスの値よりも小さく、また、ショックセンサ６６に紙くずや埃等が衝突したときにショックセンサ６６に検知されるパルスの値よりも大きくなるよう設定されている。このことによりショックセンサ６６は、当該ショックセンサ６６に変形した硬貨や硬貨以外の金属体、あるいは固形物等が衝突したときのみにおいてショックセンサ６６に物体が衝突したという情報を制御部１６に送ることとなる。
【００４０】
次に、上述のような構成からなる硬貨処理装置１０の動作について以下に説明する。以下に説明するような硬貨処理装置１０の動作は、制御部１６が硬貨処理装置１０の各構成要素を制御することにより行われる。
【００４１】
操作者が硬貨処理装置１０の投入口１４に１または複数の硬貨を投入すると、この硬貨は供給部２０に送られる。そして、供給部２０から所定の枚数の硬貨または供給部２０にある全ての硬貨が硬貨貯留繰出部７０に送られ、この硬貨貯留繰出部７０に送られた硬貨は硬貨貯留空間７３で貯留される。この際に、供給部２０において永久磁石２４は図４Ａに示すような前進位置となるよう制御部１６により制御が行われる。このため、供給部２０にある硬貨以外のクリップ等の金属体はこの永久磁石２４に吸着されて硬貨貯留繰出部７０には送られなくなる。
【００４２】
硬貨貯留繰出部７０の回転円板７２を図２の矢印方向に回転させると、硬貨貯留空間７３で貯留され回転円板７２の下部領域にある硬貨は回転円板７２の表面７２ｂ上で各突起部材７８により引っ掛けられる。各突起部材７８により回転円板７２の表面７２ｂ上で引っ掛けられた硬貨は回転円板７２の下部領域から上部領域に搬送され、この硬貨は回転円板７２の上部領域において硬貨搬送機構の搬送ベルト（図示せず）まで１枚ずつ図示しない案内部材により案内される。硬貨搬送機構の搬送ベルトに送られた硬貨はこの搬送ベルトにより硬貨貯留空間７３の外方に１枚ずつ搬送される。より具体的には、硬貨搬送機構の搬送ベルトにより搬送される硬貨は搬送部３０に受け渡され、この搬送部３０において図１の右方向に１枚ずつ搬送される。
【００４３】
硬貨が搬送部３０において搬送される際に、識別部３４によりこの硬貨の金種等の識別が行われる。識別部３４により識別された硬貨は選別部３２に送られる。ここで、識別部３４により識別することができなかった硬貨や識別部３４により正常な硬貨ではないと識別された硬貨は、選別部３２の開口部３６ａからリジェクト硬貨シュート６２を介してリジェクト部６０に送られる。そして、操作者はこのリジェクト部６０に送られた硬貨を取り出すことができるようになる。一方、識別部３４により正常な硬貨であると識別された硬貨は、制御部１６により選別部３２が制御されることによって、シュート３２ａ、３２ｂ、３２ｃを介して金種別に一時保留部４０の一時保留部分４０ａ、４０ｂ、４０ｃにそれぞれ送られ、これらの一時保留部分４０ａ、４０ｂ、４０ｃで一時的に保留される。または、硬貨を開口部３６ｂから順に混合状態で選別してシュート３２ａを介して一時保留部４０ａに一時的に保留し、所定枚数の硬貨が収納され一時保留部４０ａがフルになると、次の開口部３６ｃへと選別先を切り換え、処理を行う。その後、一時保留部分４０ａ、４０ｂ、４０ｃで一時的に保留された硬貨はシュート４２ａ、４２ｂ、４２ｃを介して金種別に、又は混合状態で収納部５０のカセット５０ａ、５０ｂ、５０ｃにそれぞれ送られ、これらのカセット５０ａ、５０ｂ、５０ｃに収納される。
【００４４】
硬貨貯留繰出部７０における硬貨貯留空間７３にある硬貨の繰出が終了した後、供給部２０において永久磁石２４が制御部１６により制御されて図４Ｂに示すような後退位置に移動させられる。このことにより、永久磁石２４に吸着されていた磁性を有する物体は案内部材２３から落下して硬貨貯留繰出部７０に送られる。
【００４５】
その後、フォトセンサ７９により硬貨貯留繰出部７０の硬貨貯留空間７３に残留物があるか否かが検出される。本発明の実施例１においては、フォトセンサ７９により硬貨貯留繰出部７０の硬貨貯留空間７３に残留物があることが検知されるか否かにかかわらず、駆動モータ７４ｂは図３Ｂに示すようにホッパ部材７４を開放して、硬貨貯留空間７３に残留する物体をこの硬貨貯留空間７３から自重により下方に落下させるようになっている。このことにより、硬貨貯留繰出部７０の硬貨貯留空間７３に残留物があるが、フォトセンサ７９によりこの残留物を検知できなかった場合であっても、硬貨貯留繰出部７０による硬貨の繰出の後に必ず硬貨貯留空間７３に残留する物体をこの硬貨貯留空間７３から下方に落下させるので、硬貨貯留繰出部７０の硬貨貯留空間７３に残留物が残ることを抑止することができる。
【００４６】
なお、本発明の実施例１に係る硬貨貯留繰出部７０による硬貨処理方法は、上述のような方法に限定されることはない。代わりに、フォトセンサ７９により硬貨貯留空間７３に物体が残留していることが検知されたときにのみ、駆動モータ７４ｂは図３Ｂに示すようにホッパ部材７４を開放して、硬貨貯留空間７３に残留する物体をこの硬貨貯留空間７３から下方に落下させるようになっていてもよい。
【００４７】
硬貨貯留空間７３から下方に落下した物体はショックセンサ６６に衝突する。ここで、ショックセンサ６６に衝突した物体が変形した硬貨や硬貨以外の金属体、あるいは固形物等であった場合には、ショックセンサ６６に物体が衝突したという情報が制御部１６に送られ、制御部１６は、この情報を表示部１８に表示させる。このことにより、リジェクト部６０に変形した硬貨や硬貨以外の金属体、あるいは固形物が送られたということが操作者に対する報知が行われ、操作者はリジェクト部６０からこの物体を取り出すこととなる。一方、ショックセンサ６６に衝突した物体が紙くずや埃等であった場合には、ショックセンサ６６に物体が衝突したという情報は制御部１６に送られることはない。このため、操作者に対する報知も行われない。
【００４８】
このようにして、硬貨処理装置１０における一連の硬貨処理動作が終了する。
【００４９】
図５は、本発明の実施例１に係る硬貨処理装置１０の機能を示すブロック図である。
【００５０】
図５に示すように、本発明の実施例１に係る硬貨処理装置１０は、上記の構成に加えて、記憶部１０１および操作部１０２をさらに備えている。
【００５１】
記憶部１０１は、制御プログラム１０１Ａ、パターンデータ１０１Ｂ、識別履歴１０１Ｃ、一時保留データ１０１Ｄ、および在高データ１０１Ｅを記憶するようになっている。制御プログラム１０１Ａは、制御部１６のためのプログラムである。パターンデータ１０１Ｂは、収納部５０の各カセット５０ａ，５０ｂ，５０ｃに対する複数の収納パターンを含むデータである。識別履歴１０１Ｃは、識別部３４の識別結果の履歴を含むデータである。一時保留データ１０１Ｄは、一時保留部４０の各一時保留部分４０ａ，４０ｂ，４０ｃの在高を含むデータである。在高データ１０１Ｅは、収納部５０の各カセット５０ａ，５０ｂ，５０ｃの在高を含むデータである。
【００５２】
操作部１０２は、操作者の指示（選択指示、編集指示など）を受け付ける様々なキーを備えている。
【００５３】
制御部１６は、受入部１１、表示部１８、識別部３４、一時保留部４０、および収納部５０を含む上記の構成に加えて、記憶部１０１および操作部１０２に接続されている。制御部１６は、記憶部１０１に記憶された制御プログラム１０１Ａを起動することによって、投入口１４、表示部１８、識別部３４、一時保留部４０、および収納部５０を含む上記の構成に加えて、記憶部１０１および操作部１０２を制御するようになっている。
【００５４】
次に、本発明の実施例１に係る硬貨処理装置１０の処理内容について図６乃至図９を参照して説明する。
【００５５】
図６は、本発明の実施例１に係る入金処理の処理手順を示すフローチャートである。
【００５６】
図６に示すように、はじめに、選択工程（Ｓ６０１）が行われる。選択工程（Ｓ６０１）では、操作部１０２が、操作者から収納パターンの選択指示を受け付け、制御部１６が、その選択指示に対応するパターンデータ１０１Ｂを記憶部１０１から読み出す。
【００５７】
次に、受入工程（Ｓ６０２）が行われる。受入工程（Ｓ６０２）では、受入部１１が、投入口１４に投入された硬貨を硬貨処理装置１０の内部に受け入れる。
【００５８】
次に、識別工程（Ｓ６０３）が行われる。識別工程（Ｓ６０３）では、識別部３４が、受入工程（Ｓ６０２）において受入部１１によって受け入れられた硬貨を識別し、識別結果を制御部１６に送る。このとき、制御部１６は、この識別結果に基づいてこの硬貨を「正常硬貨」または「リジェクト硬貨」と判定する。また、制御部１６は、「正常硬貨」と判定された硬貨の金種別の枚数または「リジェクト硬貨」と判定された硬貨のリジェクト要因を識別履歴１０１Ｃとして記憶部１０１に書き込む。
【００５９】
制御部１６によって「正常硬貨」と判定された場合には（Ｓ６０４−ＹＥＳ）、選択工程（Ｓ６０１）において選択されたパターンデータ１０１Ｂに基づいて一時保留処理（Ｓ６０５）が行われる。一時保留処理（Ｓ６０５）については後述する。
【００６０】
また、制御部１６によって「リジェクト硬貨」と判定された場合には（Ｓ６０４−ＮＯ）、リジェクト工程（Ｓ６０６）が行われる。リジェクト工程（Ｓ６０６）では、制御部１６が、「リジェクト硬貨」と判定された硬貨をリジェクト部６０に集積する。
【００６１】
Ｓ６０２乃至Ｓ６０６は、投入口１４に投入された硬貨が０枚になるまで繰り返される（Ｓ６０７−ＮＯ）。
【００６２】
投入口１４に投入された硬貨が０枚になった場合には（Ｓ６０７−ＹＥＳ）、入金確認画面表示工程（Ｓ６０８）が行われる。入金確認画面表示工程（Ｓ６０８）では、制御部１６が、一時保留処理（Ｓ６０５）において各一時保留部分４０ａ，４０ｂ，４０ｃに一時保留された硬貨の枚数および入金処理内容を確定するための入金確定指示を促すメッセージを含む入金確認画面を表示部１８に表示させる。
【００６３】
操作部１０２によって入金確定指示が受け付けられた場合には（Ｓ６０９−ＹＥＳ）、収納工程（Ｓ６１０）が行われる。収納工程（Ｓ６１０）では、制御部１６が、各一時保留部分４０ａ，４０ｂ，４０ｃに一時保留された硬貨を対応する各カセット５０ａ，５０ｂ，５０ｃに収納する。このとき、制御部１６は、各カセット５０ａ，５０ｂ，５０ｃの在高データ１０１Ｅを更新する。
【００６４】
本発明の実施例１に係る入金処理は、収納工程（Ｓ６１０）の後に終了する。
【００６５】
図７は、本発明の実施例１に係る一時保留処理の一態様の処理手順を示すフローチャートである。この一時保留処理は、選択工程（図６のＳ６０１）において、入金処理（図６）の後処理において、硬貨の回収効率を向上させるための収納パターンが選択されたときに行われる。
【００６６】
はじめに、収納部５０の引き出し方向に対して手前（すなわち、収納部５０が引き出されたときに最初に機外に露出する位置）に設けられたカセット５０ａの収納状態が判断される（Ｓ７０１）。カセット５０ａの収納状態がフルでない場合（すなわち、カセット５０ａの収納枚数が最大枚数でない場合）には（Ｓ７０１−ＮＯ）、一時保留部分４０ａの一時保留工程（Ｓ７０２）が行われる。一時保留部分４０ａの一時保留工程（Ｓ７０２）では、制御部１６が、カセット５０ａに対応する一時保留部分４０ａに受入工程（図６のＳ６０２）において受け入れられた硬貨を一時保留する。このとき、制御部１６は、一時保留部分４０ａの一時保留データ１０１Ｄを更新する。
【００６７】
また、カセット５０ａがフルである場合（すなわち、カセット５０ａの収納枚数が最大枚数である場合）には（Ｓ７０１−ＹＥＳ）、収納部５０の引き出し方向に対してカセット５０ａの次（すなわち、収納部５０が引き出されたときにカセット５０ａの次に機外に露出する位置）に設けられたカセット５０ｂの収納状態が判断される（Ｓ７０３）。カセット５０ｂの収納状態がフルでない場合には（Ｓ７０３−ＮＯ）、一時保留部分４０ｂの一時保留工程（Ｓ７０４）が行われる。一時保留部分４０ｂの一時保留工程（Ｓ７０４）では、制御部１６が、カセット５０ｂに対応する一時保留部分４０ｂに受入工程（図６のＳ６０２）において受け入れられた硬貨を一時保留する。このとき、制御部１６は、一時保留部分４０ｂの一時保留データ１０１Ｄを更新する。
【００６８】
また、カセット５０ａ，５０ｂがフルである場合には（Ｓ７０３−ＹＥＳ）、収納部５０の引き出し方向に対してカセット５０ｂの次（すなわち、収納部５０が引き出されたときにカセット５０ｂの次に機外に露出する位置）に設けられたカセット５０ｃの収納状態が判断される（Ｓ７０５）。カセット５０ｃの収納状態がフルでない場合には（Ｓ７０５−ＮＯ）、一時保留部分４０ｃの一時保留工程（Ｓ７０６）が行われる。一時保留部分４０ｃの一時保留工程（Ｓ７０６）では、制御部１６が、一時保留部分４０ｃに受入工程（図６のＳ６０２）において受け入れられた硬貨を一時保留する。このとき、制御部１６は、一時保留部分４０ｃの一時保留データ１０１Ｄを更新する。
【００６９】
また、各カセット５０ａ，５０ｂ，５０ｃの何れの収納状態もフルである場合には（Ｓ７０５−ＹＥＳ）、入金エラー画面表示工程（Ｓ７０７）が行われる。入金エラー画面表示工程（Ｓ７０７）では、制御部１６が、入金エラーであることを示すメッセージを含む入金エラー画面を表示部１８に表示させる。
【００７０】
この一時保留処理では、各一時保留部分４０ａ，４０ｂ，４０ｃは、金種混合状態で硬貨を一時保留する。したがって、この一時保留処理に続く収納処理（図６のＳ６１０）では、各カセット５０ａ，５０ｂ，５０ｃは、金種混合状態で硬貨を収納する。
【００７１】
図８は、本発明の実施例１に係る一時保留処理の一態様の処理手順を示すフローチャートである。この一時保留処理は、選択工程（図６のＳ６０１）において、特定金種を分類するための収納パターンが選択されたときに行われる。
【００７２】
はじめに、識別工程（図６のＳ６０３）の識別結果に基づいて、特定金種か否かが判断される（Ｓ８０１）。たとえば、識別工程（図６のＳ６０３）において識別された金種が予め指定された金種である場合には「特定金種」と判断され、予め指定された金種でない場合には「非特定金種」と判断される。
【００７３】
特定金種である場合には（Ｓ８０１−ＹＥＳ）、収納部５０の引き出し方向に対して手前に設けられ、特定金種を収納するために用いられるカセット５０ａの収納状態が判断される（Ｓ８０２）。カセット５０ａの収納状態がフルでない場合には（Ｓ８０２−ＮＯ）、一時保留部分４０ａの一時保留工程（Ｓ８０３）が行われる。一時保留部分４０ａの一時保留工程（Ｓ８０３）は、図７のＳ７０２と同様に行われる。
【００７４】
また、カセット５０ａの収納状態がフルである場合には（Ｓ８０２−ＹＥＳ）、後述の入金エラー画面表示工程（Ｓ８０８）に進む。
【００７５】
また、非特定金種である場合には（Ｓ８０１−ＮＯ）、収納部５０の引き出し方向に対してカセット５０ａの次に設けられ、非特定金種を収納するために用いられるカセット５０ｂの収納状態が判断される（Ｓ８０４）。カセット５０ｂの収納状態がフルでない場合には（Ｓ８０４−ＮＯ）、一時保留部分４０ａの一時保留工程（Ｓ８０５）が行われる。一時保留部分４０ａの一時保留工程（Ｓ８０５）は、図７のＳ７０４と同様に行われる。
【００７６】
また、カセット５０ｂがフルである場合には（Ｓ８０４−ＹＥＳ）、収納部５０の引き出し方向に対してカセット５０ｂの次に設けられ、非特定金種を収納するために用いられるカセット５０ｃの収納状態が判断される（Ｓ８０６）。カセット５０ｃの収納状態がフルでない場合には（Ｓ８０６−ＮＯ）、一時保留部分４０ｃの一時保留工程（Ｓ８０７）が行われる。一時保留部分４０ｃの一時保留工程（Ｓ８０７）は、図７のＳ７０６と同様に行われる。
【００７７】
また、カセット各５０ｂ，５０ｃの何れの収納状態もフルである場合には（Ｓ８０６−ＹＥＳ）、入金エラー画面表示工程（Ｓ８０８）が行われる。入金エラー画面表示工程（Ｓ８０８）は、図７のＳ７０７と同様に行われる。
【００７８】
この一時保留処理では、一時保留部分４０ａは、特定金種の硬貨のみを一時保留し、一時保留部分４０ｂ，４０ｃは、金種混合状態で硬貨を一時保留する。したがって、この一時保留処理に続く収納処理（図６のＳ６１０）では、カセット５０ａは、特定金種の硬貨のみを収納し、カセット５０ｂ，５０ｃは、金種混合状態で硬貨を収納する。
【００７９】
なお、この一時保留処理では、一時保留部分４０ｂ，４０ｃが特定金種を一時保留し、一時保留部分４０ａが非特定金種を一時保留しても良い。
【００８０】
図９は、本発明の実施例１に係る一時保留処理の一態様の処理手順を示すフローチャートである。この一時保留処理は、選択工程（図６のＳ６０１）において、入金処理（図６）の効率を向上させるための収納パターンが選択されたときに行われる。
【００８１】
はじめに、識別工程（図６のＳ６０３）において識別された金種が、流通量が最も多い金種Ａまたは流通量が最も少ない金種Ｂである場合には（Ｓ９０１−ＹＥＳ）、一時保留部分４０ａの一時保留工程（Ｓ９０２）が行われる。この一時保留工程（Ｓ８０２）は、図７のＳ７０２と同様に行われる。
【００８２】
また、識別工程（図６のＳ６０３）において識別された金種が、流通量が金種Ａの次に多い金種Ｃまたは流通量が金種Ｂの次に少ない金種Ｄである場合には（Ｓ９０３−ＹＥＳ）、一時保留部分４０ｂの一時保留工程（Ｓ９０４）が行われる。この一時保留工程（Ｓ９０４）は、図７のＳ７０４と同様に行われる。
【００８３】
また、識別工程（図６のＳ６０３）において識別された金種が、流通量が金種Ｃの次に多い金種Ｅまたは流通量が金種Ｄの次に少ない金種Ｆである場合には（Ｓ９０５−ＹＥＳ）、一時保留部分４０ｃの一時保留工程（Ｓ９０６）が行われる。この一時保留工程（Ｓ９０６）は、図７のＳ７０６と同様に行われる。
【００８４】
なお、この一時保留処理では、流通量に基づいて特定金種が指定される代わりにユーザの取扱量に基づいて特定金種が指定されても良い。
【００８５】
また、この一時保留処理では、各カセット５０ａ，５０ｂ，５０ｃの収納状態がフルである場合に、図７のＳ７０７と同様に入金エラー画面表示工程を行っても良い。
【００８６】
この一時保留処理では、各一時保留部分４０ａ，４０ｂ，４０ｃは、２金種混合状態で硬貨を一時保留する。したがって、この一時保留処理に続く収納処理（図６のＳ６１０）では、各カセット５０ａ，５０ｂ，５０ｃは、２金種混合状態で硬貨を一時保留する。
【００８７】
なお、本発明の実施例１では、カセット５０ａ，５０ｂ，５０ｃの収納状態は、カセット５０ａ，５０ｂ，５０ｃの空き容量（容量と在高との差）と、一時保留部分４０ａ，４０ｂ，４０ｃの在高と、の大小関係に基づいて判断される。たとえば、カセット５０ａの空き容量が一時保留部分４０ａの在高より大きい場合には、カセット５０ａの収納状態は「フルでない」と判断される。
【００８８】
また、本発明の実施例１では、選択工程（図６のＳ６０１）において、制御部１６が、記憶部１０１に記憶された識別履歴１０１Ｃに基づいて最適な収納パターンを作成し、その収納パターンに基づいて一時保留処理（図６のＳ６０５）が行われても良い。
【００８９】
また、本発明の実施例１では、操作部１０２が、操作者から収納パターンを編集するための編集指示を受け付けても良い。
【００９０】
本発明の実施例１によれば、記憶部１０１に記憶されたパターンデータ１０１Ｂに基づいて、一時保留処理（図７乃至図９）が行われるので、全てのユーザの利用状況に対して、装置の小型化を実現し、且つ、入金処理の後処理の処理効率を向上させることができる。できる。
【００９１】
また、本発明の実施例１によれば、記憶部１０１が、図７に示すような一時保留処理に対応する収納パターンを含むパターンデータ１０１Ｂを記憶するので、現金の回収業務を委託された警備会社の警備員等の収集特定者が収納部５０を引き出したときに、収集特定者に対して手前に設けられているカセット５０ａから順に硬貨が収納される。その結果、収集特定者が収納部５０に収納された硬貨を回収する作業の効率を向上させることができる。
【００９２】
また、本発明の実施例１によれば、記憶部１０１が、図８に示すような一時保留処理に対応する収納パターンを含むパターンデータ１０１Ｂを記憶するので、特定金種のみがカセット５０ａに収納される。その結果、入金処理の後に所定の金種の包装処理を行うような場合に、特定金種を選別するための作業を省略することができる。
【００９３】
また、本発明の実施例１によれば、記憶部１０１が、図９に示すような一時保留処理に対応する収納パターンを含むパターンデータ１０１Ｂを記憶するので、全ての金種が２金種混合状態でカセット５０ａ，５０ｂ，５０ｃに収納される。その結果、各カセット５０ａ，５０ｂ，５０ｃに分散して全ての金種を収納することができ、ひいては、入金処理（図６）の効率を向上させることができる。
【００９４】
また、本発明の実施例１によれば、制御部１６が、識別部３４の識別履歴１０１Ｃに基づいて収納パターンを作成するので、ユーザの使用状況に基づいて最適な収納パターンを常に選択することができる。
【００９５】
また、本発明の実施例１によれば、操作部１０２が、ユーザから収納パターンを編集するための編集指示を受け付けるので、ユーザの使用状況に基づいて任意の収納パターンを選択することができる。
【実施例２】
【００９６】
次に、本発明の実施例２について説明する。本発明の実施例２は、硬貨を一時保留し、一時保留部分の一時保留状態がフルになったときに一時保留された硬貨を収納部に収納する例である。なお、本発明の実施例１と同様の内容についての説明は省略する。
【００９７】
図１０は、本発明の実施例２に係る入金処理の処理手順を示すフローチャートである。
【００９８】
図１０に示すように、はじめに、選択工程（Ｓ１００１）が行われる。選択工程（Ｓ１００１）は、本発明の実施例１に係る選択工程（図６のＳ６０１）と同様に行われる。
【００９９】
次に、受入工程（Ｓ１００２）が行われる。受入工程（Ｓ１００２）は、本発明の実施例１に係る受入工程（図６のＳ６０２）と同様に行われる。
【０１００】
次に、識別工程（Ｓ１００３）が行われる。識別工程（Ｓ１００３）は、本発明の実施例１に係る識別工程（図６のＳ６０３）と同様に行われる。
【０１０１】
制御部１６によって「正常硬貨」と判定された場合には（Ｓ１００４−ＹＥＳ）、選択工程（Ｓ１００１）において選択されたパターンデータ１０１Ｂに基づいて一時保留処理（Ｓ１００５）が行われる。一時保留処理（Ｓ１００５）は、本発明の実施例１に係る一時保留処理（図７乃至図９）と同様に行われる。
【０１０２】
また、制御部１６によって「リジェクト硬貨」と判定された場合には（Ｓ１００４−ＮＯ）、リジェクト工程（Ｓ１００６）が行われる。リジェクト工程（Ｓ１００６）は、本発明の実施例１に係るリジェクト工程（図６のＳ６０６）と同様に行われる。
【０１０３】
Ｓ１００２乃至Ｓ１００６は、各一時保留部分４０ａ，４０ｂ，４０ｃの何れかの一時保留状態がフルになるまで繰り返される（Ｓ１００７−ＮＯ）。
【０１０４】
各一時保留部分４０ａ，４０ｂ，４０ｃの何れかの一時保留状態がフルになった場合には（Ｓ１００７−ＹＥＳ）、その一時保留部分４０ａ，４０ｂ，４０ｃに対応するカセット５０ａ，５０ｂ，５０ｃの収納工程（Ｓ１００８）が行われる。収納工程（Ｓ１００８）は、本発明の実施例１に係る収納工程（図６のＳ６１０）と同様に行われる。
【０１０５】
Ｓ１００２乃至Ｓ１００８は、収納工程（Ｓ１００８）の後に一時保留部分４０ａ，４０ｂ，４０ｃの一時保留状態が０枚になるまで繰り返される（Ｓ１００９−ＮＯ）。
【０１０６】
本発明の実施例２に係る入金処理は、収納工程（Ｓ１００８）の後に各一時保留部分４０ａ，４０ｂ，４０ｃの一時保留状態が０枚になった後に終了する（Ｓ１００９−ＹＥＳ）。
【０１０７】
本発明の実施例２によれば、各一時保留部分４０ａ，４０ｂ，４０ｃの何れかの一時保留状態がフルになるまで一時保留処理（Ｓ１００５）を繰り返し、フルになった後に収納工程（Ｓ１００８）を行うので、入金処理の効率を本発明の実施例１よりも向上させることができる。
【図面の簡単な説明】
【０１０８】
【図１】本発明の一の実施の形態における硬貨処理機の内部構成の概略を示す構成図である。
【図２】図１に示す硬貨処理機における硬貨貯留繰出部の構成の詳細を示す斜視図である。
【図３Ａ】図２に示す硬貨貯留繰出部の側面図であって、ホッパ部材が閉じておりこのホッパ部材と回転円板の表面との間に硬貨貯留空間が形成されたときの状態を示す図である。
【図３Ｂ】図３に示す硬貨貯留繰出部の側面図であって、ホッパ部材が開いたときの状態を示す図である。
【図４Ａ】図１に示す硬貨処理機における供給部の構成の詳細を示す構成図であって、物体吸着部が前進位置にあるときの状態を示す図である。
【図４Ｂ】図１に示す硬貨処理機における供給部の構成の詳細を示す構成図であって、物体吸着部が後退位置にあるときの状態を示す図である。
【図５】本発明の実施例１に係る硬貨処理装置１０の機能を示すブロック図である。
【図６】本発明の実施例１に係る入金処理の処理手順を示すフローチャートである。
【図７】本発明の実施例１に係る一時保留処理の一態様の処理手順を示すフローチャートである。
【図８】本発明の実施例１に係る一時保留処理の一態様の処理手順を示すフローチャートである。
【図９】本発明の実施例１に係る一時保留処理の一態様の処理手順を示すフローチャートである。
【図１０】本発明の実施例２に係る入金処理の処理手順を示すフローチャートである。
【符号の説明】
【０１０９】
１０  硬貨処理装置
１１  受入部
１２  筐体
１２ａ  蓋
１４  投入口
１６  制御部
１８  表示部
２０  供給部
２１  搬送コンベア
２２  逆転ローラ
２３  案内部材
２４  永久磁石
２５  保持部材
２６  カム
２７  長穴
３０  搬送部
３２  選別部
３２ａ，３２ｂ，３２ｃ  シュート
３４  識別部
４０  一時保留部
４０ａ，４０ｂ，４０ｃ  一時保留部分
４２ａ，４２ｂ，４２ｃ  シュート
５０  収納部
５０ａ，５０ｂ，５０ｃ  カセット
６０  リジェクト部
６２  リジェクト硬貨シュート
６４  排出シュート
６６  ショックセンサ
７０  硬貨貯留繰出部
７２  回転円板
７２ａ  回転軸
７２ｂ  表面
７３  硬貨貯留空間
７４  ホッパ部材
７４ａ  軸
７４ｂ  駆動モータ
７５  排出部
７８  突起部材
７９  フォトセンサ
１０１  記憶部
１０２  操作部
【図１】
2010026930.tif 000003
【図２】
2010026930.tif 000004
【図３Ａ】
2010026930.tif 000005
【図３Ｂ】
2010026930.tif 000006
【図４Ａ】
2010026930.tif 000007
【図４Ｂ】
2010026930.tif 000008
【図５】
2010026930.tif 000009
【図６】
2010026930.tif 000010
【図７】
2010026930.tif 000011
【図８】
2010026930.tif 000012
【図９】
2010026930.tif 000013
【図１０】
2010026930.tif 000014